(57)【特許請求の範囲】
【請求項１】
発熱して回転するローラ本体に、前記ローラ本体の円周方向に沿って外周面で開口する環状の溝を設け、前記溝に前記ローラ本体の温度を検出する温度検出器を前記開口から静止状態で挿入してなる発熱ローラ装置において、前記溝に、異物の通過を阻止する異物阻止部材を前記ローラ本体の回転方向に対して前記温度検出器の挿入位置より手前の位置に前記開口から静止状態で挿入してなる発熱ローラ装置。
【発明の詳細な説明】
【０００１】
【発明の属する技術分野】
本発明は発熱ローラ装置に関する。
【０００２】
【従来の技術】
発熱ローラ装置をたとえば合成樹脂製の糸の延伸に使用することがある。その使用例を示したのが図６である。ここでは発熱されるローラ本体Ａの先端を自由端とし、これを駆動軸によって回転駆動するように構成した発熱ローラ装置Ｂを使用し、機台Ｃに対して駆動軸を回転自在に支持したもので、たとえば図６に示すように複数の発熱ローラ装置Ｂを千鳥状に配置し、延伸処理対象の糸Ｄを各発熱ローラ装置Ｂに順次添纏させるようにして矢印方向に走行させることにより、糸Ｄを延伸処理するようにしている。
【０００３】
このような延伸処理においては、ローラ本体Ａの温度を監視し、制御することが必要であり、そのためにローラ本体Ａの周壁内部に温度検出器が設置される。これをたとえば発熱ローラ装置Ｂとして図５に示すような誘導発熱ローラ装置を使用した場合の例について説明する。図５において、１はローラ本体、２は駆動軸で、ローラ本体１の内部に挿入されてあり、その先端はローラ本体１にボルト３およびナット４により固定され、連結されている。
【０００４】
駆動軸２の他端は、ローラ本体１より外側に導出され、その外側において、機台５に軸受６を介して回転自在に支持されている。外部に導出された駆動軸２に外部から回転駆動力を与えることにより、ローラ本体１は回転される。７は誘導発熱機構で、筒状の鉄心８とその外周に巻装されている誘導コイル９とによって構成されている。誘導発熱機構７はホルダー１０により支持されている。ローラ本体１の基端側は隙間１１を介して固定盤、たとえばローラ本体１の内端面を覆い盤１２で覆われており、この覆い盤１２はホルダー１０ならびに機台５に固定されている。１３は誘導コイ９のリード線である。駆動軸２は誘導発熱機構７の内部中心を通っている。
【０００５】
１４はローラ本体１の周壁の肉厚部に設けられた複数のジャケット室で、内部には気液二相の熱媒体１５が密封状態で封入されている。１６はその封入装置である。各ジャケット室１４はその一端において連通溝１７により互いに連通されている。１８はローラ本体１の先端を閉塞する閉塞板で、ビス１９などによってローラ本体１に固定されている。
【０００６】
２０はローラ本体１温度を検出するための温度検出器である。図７は図５のうちの円Ｐで囲った部を拡大して示した図である。この図から明らかなように、ローラ本体１の外周面にはこの外周面から外方に向かって開口するように、かつローラ本体１の円周方向に沿って環状の溝２１が設けられてあり、この溝２１に温度検出器２０が挿入されている。温度検出器２０の基端２０Ａは覆い盤１２に支持されており、ボルト２２により固定されている。２３は温度検出器２０により検出した温度を電気信号として外部に取り出すためのリード線である。ローラ本体１が回転しても、温度検出器２０は溝２１内で静止している。
【０００７】
ところで前記したような延伸処理工程の過程において、糸Ｄなどに付着していた糸屑などの異物が、ローラ本体１の基端側の外周面と覆い盤１２の外周縁２４との間の隙間２５を通って隙間１１に入り、ここから溝２１に侵入してしまうことがある。このように溝２１に異物が入り込んでしまうと、この溝２１に位置している温度検出器２０に異物が衝突し、温度検出器２０は破損してしまう恐れがある。
【０００８】
【発明が解決しようとする課題】
本発明は、発熱しながら回転するローラ本体に温度検出器を設置した構成において、糸屑などの異物により、温度検出器が破損されるのを防止することを目的とする。
【０００９】
【課題を解決するための手段】
本発明は、発熱して回転するローラ本体に、前記ローラ本体の円周方向に沿って外周面で開口する環状の溝を設け、前記溝に前記ローラ本体の温度を検出する温度検出器を前記開口から静止状態で挿入してなる発熱ローラ装置において、前記溝に、異物の通過を阻止する異物阻止部材を前記ローラ本体の回転方向に対して前記温度検出器の挿入位置より手前の位置に前記開口から静止状態で挿入したことを特徴とする。
【００１０】
温度検出器が挿入されている溝に異物が侵入し、その異物はローラ本体の回転にともなって一体となって移動したとする。この移動にしたがって異物が温度検出器に接近していくが、これに衝突するまでに、異物阻止部材に衝突し、それ以上の移動が阻止される。これにより温度検出器の異物衝突による破損が回避される。なお温度検出器とその手前の異物阻止部材との間に異物が侵入した場合は、温度検出器への衝突を回避することはできないので、異物阻止部材は温度検出器の手前にあって、できるだけ接近した位置に設置することが望ましい。
【００１１】
【発明の実施の形態】
本発明の実施態様を図１によって説明する。なお図５、図７と同じ符号を付した部分は同一または対応する部分を示す。図１において、３１は本発明にしたがう異物阻止部材で、その詳細を図２に示すように、溝２１に挿入される阻止棒３２と、覆い盤１２を貫通する固定部３３と、鍔部３４と、外端部３５とにより主として構成されている。
【００１２】
図１に示すものは、異物阻止部材３１を覆い盤１２の外側から挿入する形式のもので、外端部３５を持って、覆い盤１２に貫通して設けた孔３６を通して阻止棒３２を、鍔部３４が孔３６の開口部に当接するまで、溝２１の内部に挿入する。この挿入状態で、孔３６に直交するねじ孔３７に捩じ込まれたねじ３８により固定される。
【００１３】
異物阻止部材３１は、前記のように溝２１内にあって、ローラ本体１の回転方向に対して温度検出器２０の設置位置より手前、すなわち図３に示すように、ローラ本体１の回転方向を図示矢印方向としたとき、溝２１内の阻止棒３２は温度検出器２０よりもローラ本体１の回転方向とは反対方向（図３において温度検出器２０に対して左側）に沿った位置にある。そしてこの位置で前記のようにねじ３８により、ローラ本体１に対して静止状態で取り付けられるのである。
【００１４】
以上の構成において、誘導コイル９を交流電源により励磁することによりローラ本体１を発熱させるとともに、ローラ本体１を回転させて、稼動状態とする。この状態にあるとき、温度検出器２０および阻止棒３２は溝２１内において静止状態にあり、ローラ本体１の温度は温度検出器２０によって検出され、リード線２３を介して外部に伝達される。
【００１５】
この状態において、糸屑その他の異物が、図３における温度検出器２０より右側、阻止棒３２より左側の範囲内にある溝２１に落下などによって侵入し、ローラ本体１の回転につれて、溝２１と一体となってローラ本体１の回転方向に移動していったとする。阻止棒３２を設けていない従来構成では、この異物が温度検出器２０に衝突して、これを破損してしまう恐れがあることは、前述したとおりである。
【００１６】
しかし図１〜図３に示す構成では、移動してきた異物は、温度検出器２０に衝突以前に阻止棒３２にあたってそれ以上の移動が阻止される。これにより異物の衝突による温度検出器２０の破損が回避されることになる。なおこれらの説明から理解されるように、溝２１内において、温度検出器２０と阻止棒３２との間に異物が侵入した場合は、その異物の温度検出器２０への衝突は回避できない。したがって阻止棒３２は温度検出器２０にできるだけ接近して設置することが望ましい。
【００１７】
図４に他の実施態様を示す。これは異物阻止部材３１を、覆い盤１２にその内側から挿入して固定する構成であり、覆い盤１２の外側に固定部３３より小さい孔４０を孔３６に連続して開口するように設ける。異物阻止部材３１の取付に際しては、外端部３５を覆い盤１２の内側より孔２１ならびに孔４０に差し込む。そして固定部３３の端部を孔４０の開口端に図示するように押しつけた状態で、ねじ３８により固定する。実際にはこのようにして異物阻止部材３１を覆い盤１２に取り付けたあと（それまでに温度検出器２０も取り付けておく。）、覆い盤１２とローラ本体１とを合体させる。
【００１８】
【発明の効果】
以上説明したように本発明によれば、発熱して回転するローラの温度を検出するために温度検出器を、ローラ本体に環状に設けた溝のなかに設置した場合、その溝に異物などが誤って侵入してきても、その異物との衝突により温度検出器が破損するといったことは、確実に回避することができる効果を奏する。
【図面の簡単な説明】
【図１】本発明の実施態様を示す部分断面図である。
【図２】異物阻止部材の斜視図である。
【図３】図１の部分横断面図である。
【図４】本発明の他の実施態様を示す部分断面図である。
【図５】発熱ローラ装置の一例を示す断面図である。
【図６】本発明の使用例を示す斜視図である。
【図７】温度検出器の設置状態を示す部分断面図である。
【符号の説明】
１  ローラ本体
１２  固定盤（覆い盤）
２０  温度検出器
２１  環状の溝
３１  異物阻止部材
【図１】
0004651241.tif 000002
【図２】
0004651241.tif 000003
【図３】
0004651241.tif 000004
【図４】
0004651241.tif 000005
【図５】
0004651241.tif 000006
【図６】
0004651241.tif 000007
【図７】
0004651241.tif 000008